【手続補正書】
【提出日】平成28年1月20日(2016.1.20)
【手続補正１】
【補正対象書類名】特許請求の範囲
【補正対象項目名】全文
【補正方法】変更
【補正の内容】
【特許請求の範囲】
【請求項１】
エポキシ、ポリシロキサンおよび有機オキシシランを含む樹脂部分、並びに１つまたは複数のアミノシランを含む硬化部分を含むペイント組成物であって、前記樹脂部分および前記硬化部分は、約１．３〜約５の範囲のアミン対エポキシ当量で一緒に合わせたときに、これらが硬化して、少なくとも１つのドライイレース特徴を示す透明な表面コーティングを形成するように設計および選択され、前記ペイント組成物は、いかなる不透明剤または顔料も実質的に含まない、ペイント組成物。
【請求項２】
前記硬化部分は、触媒をさらに含む、請求項１に記載のペイント組成物。
【請求項３】
前記アミノシランは、２−アミノエチル−３−アミノプロピルメチルジメトキシシラン、ｎ−ブチル−３−アミノプロピルトリメトキシシラン、３−アミノプロピルメチルジエトキシシラン、３−アミノプロピルトリエトキシシラン、２−アミノエチル−３−アミノプロピルトリメトキシシランまたはこれらの任意の組み合わせから選択される、請求項１に記載のペイント組成物。
【請求項４】
前記ドライイレース特徴は、約７，５００ｎｍより少ない平均表面粗さ（Ｒａ）、約１０，０００ｎｍより少ない最大表面粗さ（Ｒｍ）、７０よりも高い６０度光沢、約１５０度より少ない接触角、約４５パーセントより少ない多孔度、約１０パーセント〜約１００パーセントの破壊時の伸び率、約３よりも大きいスオード硬度、約１５０ｍｇ／千サイクルより少ないテーバー磨耗値、約４ｍｉｌ〜約２４ｍｉｌのサグレジスタンスおよびこれらの組み合わせからなる群より選択される、請求項１に記載のペイント組成物。
【請求項５】
前記透明な表面コーティングは、その表面が、着色剤および溶媒（前記溶媒は、水、アルコール、アルコキシアルコール、ケトン、ケトンアルコール、エステル、アセテート、ミネラルスピリットの１つまたは複数、またはこれらの混合物を含む）を含むマーキング材料で書き込まれるときに、前記マーキング材料は、同じ位置での１００サイクルを超える書き込みおよび消去に対して実質的に見えなくするように書き込み−消去可能な材料の表面から消去することができることを特徴とする、請求項１に記載のペイント組成物。
【請求項６】
前記透明な表面コーティングは、少なくとも約４の浸漬時間を特徴とする、請求項１に記載のペイント組成物。
【請求項７】
前記ペイント組成物は、１４０ｇ／Ｌより少ない揮発性有機化合物（ＶＯＣ）を有する、請求項１に記載のペイント組成物。
【請求項８】
前記ペイント組成物は、１００ｇ／Ｌより少ないＶＯＣを有する、請求項１に記載のペイント組成物。
【請求項９】
前記樹脂部分は、第１の容器中に存在し、前記硬化部分は、第２の容器中に存在する、請求項１に記載のペイント組成物。
【請求項１０】
基体上に広がる硬化性組成物を含むドライイレース製品であって、
前記硬化性組成物は、
エポキシ、ポリシロキサンおよび有機オキシシランを含む樹脂部分、並びに、
１つまたは複数のアミノシランを含む硬化部分、
の組み合わせを含み、
前記ペイント組成物は、約１．３〜約５の範囲のアミン対エポキシ当量を有し、
前記硬化性組成物は、いかなる不透明剤または顔料も実質的に含まず、それが周囲条件下で硬化して、少なくとも１つのドライイレース特徴によって特徴づけられる透明な表面コーティングを形成することを特徴とする、ドライイレース製品。
【請求項１１】
ドライイレース製品を形成する方法であって、
ペイント組成物の組成物を基体に適用して、硬化して透明な表面を提供するコーティングを形成することを含み、前記ペイント組成物は、
エポキシ、ポリシロキサンおよび有機オキシシランを含む樹脂部分、並びに、
１つまたは複数のアミノシランを含む硬化部分；
を含み、前記樹脂部分および前記硬化部分は、約１．３〜約５の範囲のアミン対エポキシ当量で一緒に合わせたときに、これらが硬化して、少なくとも１つのドライイレース特徴を示す透明な表面コーティングを形成するように設計および選択され、前記ペイント組成物は、いかなる不透明剤または顔料も実質的に含まない、方法。
【請求項１２】
エポキシ、ポリシロキサンおよび有機オキシシランを含む樹脂部分、並びに、
２−アミノエチル−3−アミノプロピルトリメトキシシランとn−ブチル−3−アミノプロピルトリメトキシシランとの組み合わせを含む、１つまたは複数のアミノシランを含む硬化部分
を含むペイント組成物であって、
前記樹脂部分および前記硬化部分は、一緒に合わせたときに、これらが硬化して、少なくとも１つのドライイレース特徴を示す透明な表面コーティングを形成するように設計および選択され、前記ペイント組成物は、いかなる不透明剤または顔料も実質的に含まない、ペイント組成物。
【請求項１３】
前記ペイント組成物は、約１〜約５の範囲のアミン対エポキシ当量を有する、請求項１２に記載のペイント組成物。
【請求項１４】
前記ドライイレース特徴は、約７，５００ｎｍより少ない平均表面粗さ（Ｒａ）、約１０，０００ｎｍより少ない最大表面粗さ（Ｒｍ）、７０よりも高い６０度光沢、約１５０度より少ない接触角、約４５パーセントより少ない多孔度、約１０パーセント〜約１００パーセントの破壊時の伸び率、約３よりも大きいスオード硬度、約１５０ｍｇ／千サイクルより少ないテーバー磨耗値、約４ｍｉｌ〜約２４ｍｉｌのサグレジスタンスおよびこれらの組み合わせからなる群より選択される、請求項１３に記載のペイント組成物。
【請求項１５】
前記表面コーティングは、その表面が、着色剤および溶媒（前記溶媒は、水、アルコール、アルコキシアルコール、ケトン、ケトンアルコール、エステル、アセテート、ミネラルスピリットの１つまたは複数、またはこれらの混合物を含む）を含むマーキング材料で書き込まれるときに、前記マーキング材料は、同じ位置での１００サイクルを超える書き込みおよび消去に対して実質的に見えなくするように書き込み−消去可能な材料の表面から消去することができることを特徴とする、請求項１３に記載のペイント組成物。
【手続補正２】
【補正対象書類名】明細書
【補正対象項目名】００１６
【補正方法】変更
【補正の内容】
【００１６】
本発明の他の特徴、目的、および利点は、以下の詳細説明において明らかとなる。しかし、詳細説明は、本発明の実施形態を示すが、例示目的に過ぎず、限定ではないことを理解すべきである。詳細説明から、本発明の範囲内の様々な変更および修正が当業者に明らかになろう。
本発明は、例えば、以下を提供する。
（項目１）
エポキシ、ポリシロキサンおよび有機オキシシランを含む樹脂部分、並びに１つまたは複数のアミノシランを含む硬化部分を含むペイント組成物であって、前記樹脂部分および前記硬化部分は、一緒に合わせたときに、これらが硬化して、少なくとも１つのドライイレース特徴を示す透明な表面コーティングを形成するように設計および選択され、前記ペイント組成物は、いかなる不透明剤または顔料も実質的に含まない、ペイント組成物。
（項目２）
前記硬化部分は、触媒をさらに含む、項目１のペイント組成物。
（項目３）
前記アミノシランは、２−アミノエチル−３−アミノプロピルメチルジメトキシシラン、ｎ−ブチル−３−アミノプロピルトリメトキシシラン、３−アミノプロピルメチルジエトキシシラン、３−アミノプロピルトリエトキシシラン、２−アミノエチル−３−アミノプロピルトリメトキシシランまたはこれらの任意の組み合わせから選択される、前述の項目のいずれか１項のペイント組成物。
（項目４）
前記ペイント組成物は、約２〜約５の範囲のアミン対エポキシ当量を有する、前述の項目のいずれか１項のペイント組成物。
（項目５）
前記ドライイレース特徴は、約７，５００ｎｍより少ない平均表面粗さ（Ｒａ）、約１０，０００ｎｍより少ない最大表面粗さ（Ｒｍ）、７０よりも高い６０度光沢、約１５０度より少ない接触角、約４５パーセントより少ない多孔度、約１０パーセント〜約１００パーセントの破壊時の伸び率、約３よりも大きいスオード硬度、約１５０ｍｇ／千サイクルより少ないテーバー磨耗値、約４ｍｉｌ〜約２４ｍｉｌのサグレジスタンスおよびこれらの組み合わせからなる群より選択される、前述の項目のいずれか１項のペイント組成物。
（項目６）
前記透明な表面コーティングは、その表面が、着色剤および溶媒（前記溶媒は、水、アルコール、アルコキシアルコール、ケトン、ケトンアルコール、エステル、アセテート、ミネラルスピリットの１つまたは複数、またはこれらの混合物を含む）を含むマーキング材料で書き込まれるときに、前記マーキング材料は、同じ位置での１００サイクルを超える書き込みおよび消去に対して実質的に見えなくするように書き込み−消去可能な材料の表面から消去することができることを特徴とする、前述の項目のいずれか１項のペイント組成物。
（項目７）
前記透明な表面コーティングは、少なくとも約４の浸漬時間を特徴とする、前述の項目のいずれか１項のペイント組成物。
（項目８）
前記ペイント組成物は、１４０ｇ／Ｌより少ない揮発性有機化合物（ＶＯＣ）を有する、前述の項目のいずれか１項のペイント組成物。
（項目９）
前記ペイント組成物は、１００ｇ／Ｌより少ないＶＯＣを有する、前述の項目のいずれか１項のペイント組成物。
（項目１０）
前記樹脂部分は、第１の容器中に存在し、前記硬化部分は、第２の容器中に存在する、前述の項目のいずれか１項のペイント組成物。
（項目１１）
基体上に広がる硬化性組成物を含むドライイレース製品であって、
前記硬化性組成物は、
エポキシ、ポリシロキサンおよび有機オキシシランを含む樹脂部分、並びに、
１つまたは複数のアミノシランを含む硬化部分、
の組み合わせを含み、
前記硬化性組成物は、いかなる不透明剤または顔料も実質的に含まず、それが周囲条件下で硬化して、少なくとも１つのドライイレース特徴によって特徴づけられる透明な表面コーティングを形成することを特徴とする、ドライイレース製品。
（項目１２）
ドライイレース製品を形成する方法であって、
ペイント組成物の組成物を基体に適用して、硬化して透明な表面を提供するコーティングを形成することを含み、前記ペイント組成物は、
エポキシ、ポリシロキサンおよび有機オキシシランを含む樹脂部分、並びに、
１つまたは複数のアミノシランを含む硬化部分；
を含み、前記樹脂部分および前記硬化部分は、一緒に合わせたときに、これらが硬化して、少なくとも１つのドライイレース特徴を示す透明な表面コーティングを形成するように設計および選択され、前記ペイント組成物は、いかなる不透明剤または顔料も実質的に含まない、方法。